【手続補正書】
【提出日】平成24年10月18日(2012.10.18)
【手続補正１】
【補正対象書類名】明細書
【補正対象項目名】００１０
【補正方法】変更
【補正の内容】
【００１０】
この場合、テープ種別判別部は、テープ収容部に装着した印刷テープのテープ種別が、印刷テープ上に印刷した印刷用画像データを他の部材に転写する「転写用テープ」であるか否かを判別し、印刷用画像データ生成部は、テープ種別が「転写用テープ」であると判別された場合、テープ種別に応じた処理パターンとして、汎用画像データを鏡像反転する処理を行うことが好ましい。
【手続補正２】
【補正対象書類名】明細書
【補正対象項目名】００１６
【補正方法】変更
【補正の内容】
【００１６】
コンピューター３は、表示部１１（ディスプレイ）や入力部１２（キーボードおよびマウス）を有する、一般的なパーソナルコンピューターである。一方、テープ印刷装置２は、コンピューター３から取得した画像データＡに基づいて、印刷を行うことにより、ラベルシートや再転写シートを作成できるようになっている。特に、本テープ印刷システム１では、テープ印刷装置２に収容された印刷テープＴが転写用テープＴ２である場合に、テープ印刷装置２上において、当該印刷テープＴの種別およびテープ印刷装置２の特性に応じた画像処理（対応画像処理）を施す機能を有している。
【手続補正３】
【補正対象書類名】明細書
【補正対象項目名】００１７
【補正方法】変更
【補正の内容】
【００１７】
ここで、まずテープ印刷装置２の装置構成について説明する。図１では、テープ印刷装置２の開閉蓋２３を開いた状態を示している。テープ印刷装置２は、装置ケース２１により外郭が形成され、装置ケース２１の前部上面には各種入力キーを備えたキーボード２２が配置されると共に、後部上面には、その左部に開閉蓋２３が取り付けられ、その右部には表示画面２４が配設されている。開閉蓋２３の内側にはテープカートリッジＣを装着するためのカートリッジ装着部（テープ収容部）２５が窪入部分として形成されており、テープカートリッジＣは、開閉蓋２３を開放した状態でカートリッジ装着部２５に着脱可能に装着される。また、開閉蓋２３にはこれを閉じた状態でテープカートリッジＣの装着／非装着を視認するための覗き窓２３ａが形成されている。
【手続補正４】
【補正対象書類名】明細書
【補正対象項目名】００２１
【補正方法】変更
【補正の内容】
【００２１】
テープカートリッジＣは、カートリッジケース４１内部の上部中央部に、一定の幅（４ｍｍ〜４８ｍｍ程度）の印刷テープＴを巻回したテープリール４２と、右下部にインクリボンＲを巻回したリボンリール４３とを収容して構成されており、印刷テープＴとインクリボンＲは同じ幅で構成されている。また、テープリール４２の左下部には上記ヘッドユニット３２を覆うヘッドカバー３２ａが差し込まれるための貫通孔４４が形成されている。さらに、貫通孔４４に差し込まれたヘッドユニット３２の、印刷テープＴとインクリボンＲとが重なる部分に対応して、上記プラテン駆動軸３３に嵌合されて回転駆動されるプラテンローラー４５が配置されている。一方、上記リボンリール４３に近接してリボン巻き取りリール４６が配置され、リボンリール４３から繰り出されたインクリボンＲは、ヘッドカバー３２ａを周回するように配置され、リボン巻き取りリール４６に巻き取られるようになっている。
【手続補正５】
【補正対象書類名】明細書
【補正対象項目名】００２９
【補正方法】変更
【補正の内容】
【００２９】
記憶部６５は、ＨＤＤ（ハードディスク）により構成され、画像データ生成プログラム６８を記憶している。画像データ生成プログラム６８は、印刷テープＴに印刷する画像データＡを生成するプログラムである。すなわち、制御部６１は、画像データ生成プログラム６８を実行することで、画像データ生成部として機能する。具体的には、画像データ生成プログラム６８は、文字や図形およびそれら配置等をユーザーに入力させるための入力画面を表示し、その入力情報に基づいて、画像データＡを生成する。なお、当該プログラムが生成する画像データＡは、文字や図形を配置したデータのみならず、取り込んだ写真の画像等を配置したデータであっても良い。
【手続補正６】
【補正対象書類名】明細書
【補正対象項目名】００３２
【補正方法】変更
【補正の内容】
【００３２】
ＲＯＭ７３は、ＣＰＵ７１が各種制御を行うための制御データおよび制御プログラムを記憶している。制御データとしては、具体的には、本テープ印刷装置２の特性を記憶する特性情報データベース８３と、テープ種別に応じた処理パターンを記憶する処理パターンテーブル（処理パターン記憶部）８５と、を記憶している。なお、ここにいうテープ印刷装置２の特性とは、機種ごとにおける、印刷ヘッド３１の特性やテープ送りモーター３６の特性、また、これらの配置に基づく特性等を示すものである。また、特性情報データベース８３には、出荷時の段階で、テープ印刷装置２ごとの特性が記憶されるものとする。なお、ここにいう処理パターンとは、コンピューター３で生成した画像データＡから、印刷用の画像データＡを生成する処理のパターンである。また、処理パターンテーブル８５には、少なくとも転写用テープＴ２に応じた処理パターンを記憶している。
【手続補正７】
【補正対象書類名】明細書
【補正対象項目名】００３３
【補正方法】変更
【補正の内容】
【００３３】
制御プログラムとしては、具体的には、画像処理プログラム８４を記憶している。画像処理プログラム８４は、テープカートリッジＣに収容された印刷テープＴが転写用テープＴ２であると判定された場合に、画像データＡに対し対応画像処理を行うプログラムである。対応画像処理とは、テープカートリッジＣに収容された印刷テープＴの種別およびテープ印刷装置２ごとの特性に応じた画像処理である。すなわち、ＣＰＵ７１は、画像処理プログラム８４を実行することで、印刷用画像データ生成部として機能する。
【手続補正８】
【補正対象書類名】明細書
【補正対象項目名】００３６
【補正方法】変更
【補正の内容】
【００３６】
ここで図５を参照して、転写用テープＴ２に対応した処理パターンに基づく対応画像処理について説明する。図５（ａ）は、対応画像処理前の画像データＡの一例を示し、図５（ｂ）は、転写用テープＴ２に対応した対応画像処理を施した画像データＡの一例として、図５（ａ）の画像データＡに対し、当該対応画像処理を施したものを示す。図５（ｂ）に示すように、転写用テープＴ２に対応する対応画像処理では、画像データＡを鏡像反転（上下反転）すると共に、画像データＡに対し、テープ長方向の両側に余白Ｂを付加する。余白Ｂのテープ長方向の長さは、特性情報データベース８３に記憶されたテープ印刷装置２ごとの特性に基づいて決定する。画像データＡの両側に余白Ｂを付加することで、再転写シートの左右両側を保持して擦ることができるため、対象物への再転写がしやすくなる。また、テープ印刷装置２ごとの特性に応じた余白Ｂを付加することで、再転写基材５６の表面がインクを良質に受容することができる。なお、ここにいうテープ印刷装置２ごとの特性とは、印刷テープＴの送り速度、印刷ヘッド３１の加圧力、および／または印刷テープＴを切断するテープカッター２７と印刷ヘッド３１との間の距離であるヘッド・カッター間距離等である。なお、当該特性に関し、余白設定に加え、印刷濃度調整および文字間調整等を行う構成であっても良い。
【手続補正９】
【補正対象書類名】明細書
【補正対象項目名】００４１
【補正方法】変更
【補正の内容】
【００４１】
これに対し、テープ印刷装置２は、通信インターフェース７４により、コンピューター３からの画像データＡを受信すると（Ｓ５）、受信した画像データＡを画像データ記憶領域８１に記憶する（Ｓ６）。画像データＡを記憶したら、判別情報記憶領域８２に記憶された判別情報が転写用テープＴ２（所定の種別）を示しているか否かを判別する（Ｓ７）。判別情報が転写用テープＴ２を示していない場合（Ｓ８：Ｎｏ）には、テープ送りモーター３６および印刷ヘッド３１により、画像データ記憶領域８１に記憶された画像データＡを、印刷テープＴに印刷する（Ｓ１７）。一方、判別情報が転写用テープＴ２を示している場合（Ｓ８：Ｙｅｓ）には、通信インターフェース７４により、画像データＡを受信した直後に、判別した印刷テープＴの種別である判別情報（印刷テープＴが転写用テープＴ２である旨の情報）を、コンピューター３に送信する（Ｓ９）。
【手続補正１０】
【補正対象書類名】明細書
【補正対象項目名】００４２
【補正方法】変更
【補正の内容】
【００４２】
コンピューター３は、通信部６２により、判別情報を受信すると（Ｓ１０）、表示部１１により、判別情報を受信した直後に、判別情報が示す種別（転写用テープＴ２）に応じた対応画像処理を施して印刷するか否かの選択画面を表示する（選択画面表示部）（Ｓ１１）。例えば、図７（ａ）に示すように、「本体側に転写用テープがセットされています。本体にて画像データが鏡像反転されて印刷します。印刷を続行しますか？［はい］［いいえ］」というメッセージを有する選択画面を表示する。これによって、ユーザーに、当該対応画像処理を施して印刷するか否かが選択させる。任意の選択肢が選択されたら、通信部６２により、テープ印刷装置２にその選択結果を送信する（Ｓ１２）。
【手続補正１１】
【補正対象書類名】明細書
【補正対象項目名】００４７
【補正方法】変更
【補正の内容】
【００４７】
ここで図８ないし図１０を参照して、印刷動作の第１変形例、第２変形例および第３変形例について、上記の印刷動作とは特に異なる部分のみ説明する。図８のフローチャートに示すように、印刷動作の第１変形例では、選択画面の表示およびユーザーによる印刷の選択（Ｓ９〜Ｓ１５）を省略した構成となっている。すなわち、テープ印刷装置２において、印刷テープＴの種別が転写用テープＴ２であると判定された場合（Ｓ８：Ｙｅｓ）には、画像データＡに対する対応画像処理（Ｓ１６）に移行する。当該構成によれば、選択画面の表示やユーザーによる印刷の選択を省略することで、印刷動作を効率良く行うことができる。以下、第２変形例および第３変形例の説明では、第１変形例に対する変更点を説明する。
【手続補正１２】
【補正対象書類名】明細書
【補正対象項目名】００４８
【補正方法】変更
【補正の内容】
【００４８】
図９のフローチャートに示すように、印刷動作の第２変形例では、テープ印刷装置２は、印刷テープＴの種別を判別（Ｓ１）した直後に、印刷テープＴの種別が転写用テープＴ２（所定の種別）であるか否かを判別する（Ｓ２１）。転写用テープＴ２でない場合（Ｓ２２：Ｎｏ）には、上記の工程（Ｓ７）に移行する。一方、転写用テープＴ２である場合（Ｓ２２：Ｙｅｓ）には、通信インターフェース７４により、判別情報記憶領域８２に記憶された判別情報（印刷テープＴの種別）を、コンピューター３に送信する（Ｓ２３）。これに対し、コンピューター３は、通信部６２により、判別情報を受信し（Ｓ２４）、表示部１１により、判別情報を受信した直後に、受信した判別情報の種別（転写用テープＴ２）に応じた対応画像処理を施して印刷する旨を報知する装着時報知画面を表示する（Ｓ２５）。例えば、図７（ｂ）に示すように、「転写用テープがセットされています。印刷時には、本体に鏡像反転されて印刷します。［ＯＫ］」というメッセージを有する装着時報知画面を表示する。その後、従前の工程（Ｓ３）に移行する。当該構成によれば、印刷テープＴの種別を判別した際に、判別情報に応じた対応画像処理およびこれを施して印刷する旨をユーザーに報知するため、ユーザーは、画像データＡに施される対応画像処理を確認することができる。
【手続補正１３】
【補正対象書類名】明細書
【補正対象項目名】００４９
【補正方法】変更
【補正の内容】
【００４９】
図１０のフローチャートに示すように、印刷動作の第３変形例では、テープ印刷装置２は、印刷テープＴの種別が転写用テープＴ２である場合（Ｓ８：Ｙｅｓ）、画像データＡの印刷（Ｓ１７）後に、通信インターフェース７４により、判別情報記憶領域８２に記憶された判別情報（印刷テープＴの種別）を、コンピューター３に送信する（Ｓ３１）。これに対し、コンピューター３は、通信部６２により、判別情報を受信し（Ｓ３２）、表示部１１により、判別情報を受信した直後に、受信した判別情報の種別（転写用テープＴ２）に応じた対応画像処理を施して印刷された旨を報知する印刷後報知画面を表示する（Ｓ３３）（画像処理報知部）。例えば、図７（ｃ）に示すように、「転写用テープがセットされており、本体にて鏡像反転して印刷しました。［ＯＫ］」というメッセージを有する印刷後報知画面を表示する。これにより、印刷動作を終了する。当該構成によれば、画像データＡを印刷した直後に、判別情報に応じた対応画像処理、およびこれを施した印刷を行った旨をユーザーに報知するため、ユーザーは、印刷した画像データＡに施した対応画像処理を確認することができる。
【手続補正１４】
【補正対象書類名】特許請求の範囲
【補正対象項目名】全文
【補正方法】変更
【補正の内容】
【特許請求の範囲】
【請求項１】
汎用画像データを生成する制御装置と、テープ印刷装置と、が接続されたテープ印刷システムであって、
前記制御装置は、
前記汎用画像データを生成する画像データ生成部と、
生成した前記汎用画像データを前記テープ印刷装置に送信する画像データ送信部と、を備え、
前記テープ印刷装置は、
テープ種別毎の、汎用画像データから印刷用画像データへの処理パターンを記憶する処理パターン記憶部と、
テープ収容部に装着した印刷テープのテープ種別を判別するテープ種別判別部と、
前記データ送信部から、前記汎用画像データを受信する画像データ受信部と、
受信した前記汎用画像データに対し、前記テープ種別に応じた前記処理パターンに基づく処理を施して印刷用画像データを生成する印刷用画像データ生成部と、
生成した前記印刷用画像データを前記印刷テープに印刷するテープ印刷部と、を備えたことを特徴とするテープ印刷システム。
【請求項２】
前記印刷用画像データ生成部は、受信した前記汎用画像データに対し、前記テープ印刷装置の特性に応じた処理を施して、前記印刷用画像データを生成することを特徴とする請求項１に記載のテープ印刷システム。
【請求項３】
前記テープ種別判別部は、前記テープ収容部に装着した前記印刷テープのテープ種別が、前記印刷テープ上に印刷した印刷用画像データを他の部材に転写する「転写用テープ」であるか否かを判別し、
前記印刷用画像データ生成部は、前記テープ種別が「転写用テープ」であると判別された場合、前記テープ種別に応じた処理パターンとして、前記汎用画像データを鏡像反転する処理を行うことを特徴とする請求項２に記載のテープ印刷システム。
【請求項４】
前記印刷用画像データ生成部は、前記印刷テープのテープ種別が「転写用テープ」であると判別された場合、前記テープ印刷装置の特性に応じた処理として、前記汎用画像データに基づく印刷領域のテープ長方向における前後に、前記テープ印刷装置ごとに定められた長さの余白領域を付加する処理を行うことを特徴とする請求項３に記載のテープ印刷システム。
【請求項５】
前記テープ印刷装置の特性に応じた処理は、前記印刷テープの送り速度に応じた処理、印刷ヘッドの加圧力に応じた処理、前記印刷テープを切断するテープカッターと前記印刷ヘッドとの間の距離であるヘッド・カッター間距離に応じた処理のうち、いずれか１以上の処理を含むことを特徴とする請求項２ないし４のいずれか１項に記載のテープ印刷システム。
【請求項６】
汎用画像データを生成する制御装置と、テープ印刷装置と、が接続されたテープ印刷システムのテープ印刷方法であって、
前記制御装置が、前記汎用画像データを生成する画像データ生成工程と、
前記制御装置が、生成した前記汎用画像データを前記テープ印刷装置に送信する画像データ送信工程と、
前記テープ印刷装置が、テープ収容部に装着した印刷テープのテープ種別を判別するテープ種別判別工程と、
前記テープ印刷装置が、受信した前記汎用画像データに対し、前記テープ種別に応じた処理パターンに基づく処理を施して印刷用画像データを生成する印刷用画像データ生成工程と、
前記テープ印刷装置が、生成した前記印刷用画像データを前記印刷テープに印刷するテープ印刷工程と、を備えたことを特徴とするテープ印刷方法。
【手続補正１５】
【補正対象書類名】図面
【補正対象項目名】図７
【補正方法】変更
【補正の内容】
【図７】
2011206970.tif 000001